(57)【特許請求の範囲】
【請求項１】
加速器の電源制御盤であって、
前記加速器に供給する高周波電力を増幅するためのＲＦアンプ回路と、当該ＲＦアンプ回路を収納する第１の筐体と、を有するＲＦアンプ盤と、
前記ＲＦアンプに高周波電力を供給するためのＲＦ電源回路と、当該ＲＦ電源回路を収納する第２の筐体と、を有するＲＦ電源盤と、
前記加速器の制御を行うための加速器制御回路と、当該加速器制御回路を収納する第３の筐体と、を有する加速器制御盤と、
前記加速器のマグネットのコイルに電流を供給するためのマグネット電源回路と、当該マグネット電源回路を収納する第４の筐体と、を有するマグネット電源盤と、を備え、
前記第１〜第４の筐体は、建物内において前記加速器が設置される加速器室内に設置され当該加速器室の壁面に沿って設置されていることを特徴とする加速器の電源制御盤。
【請求項２】
前記ＲＦアンプ盤、前記ＲＦ電源盤、前記加速器制御盤、及び前記マグネット電源盤を相互に連結するケーブルは、前記第１〜第４の筐体の各々の上面側から引き出されていることを特徴とする請求項１に記載の加速器の電源制御盤。
【請求項３】
前記第１〜第４の筐体は、前記壁面から突出する厚みが薄いほど前記加速器に近い位置に設置されるように配置されていることを特徴とする請求項１又は２に記載の加速器の電源制御盤。
【請求項４】
加速器本体に供給する高周波電力を増幅するためのＲＦアンプ回路と、当該ＲＦアンプ回路を収納する第１の筐体と、を有するＲＦアンプ盤と、
前記ＲＦアンプに高周波電力を供給するためのＲＦ電源回路と、当該ＲＦ電源回路を収納する第２の筐体と、を有するＲＦ電源盤と、
前記加速器本体の制御を行うための加速器制御回路と、当該加速器制御回路を収納する第３の筐体と、を有する加速器制御盤と、
前記加速器本体のマグネットのコイルに電流を供給するためのマグネット電源回路と、当該マグネット電源回路を収納する第４の筐体と、を有するマグネット電源盤と、を備える電源制御盤と、
前記加速器本体の放射線をシールドすると共に前記加速器本体に対して移動し開閉される移動開閉扉とを、備え、
前記第１〜第４の筐体は、建物内において前記加速器本体が設置される加速器室内に設置され当該加速器室の壁面に沿って設置されており、
前記移動開閉扉が開閉時に通過する通過領域は、
前記加速器本体に対して、前記壁面に平行な方向に並んでいることを特徴とする加速器。
【請求項５】
加速器本体に供給する高周波電力を増幅するためのＲＦアンプ回路と、当該ＲＦアンプ回路を収納する第１の筐体と、を有するＲＦアンプ盤と、
前記ＲＦアンプに高周波電力を供給するためのＲＦ電源回路と、当該ＲＦ電源回路を収納する第２の筐体と、を有するＲＦ電源盤と、
前記加速器本体の制御を行うための加速器制御回路と、当該加速器制御回路を収納する第３の筐体と、を有する加速器制御盤と、
前記加速器本体のマグネットのコイルに電流を供給するためのマグネット電源回路と、当該マグネット電源回路を収納する第４の筐体と、を有するマグネット電源盤と、を備える電源制御盤と、
前記加速器本体の放射線をシールドするための外壁と、を有し、
前記外壁は、放射線をシールドすると共に移動して開閉される移動開閉扉を一部に含み、
前記第１〜第４の筐体のうちの少なくとも１つの筐体は、前記外壁のうち前記移動開閉扉以外の何れかの外壁の壁面に密着して設置されており、
前記第１〜第４の筐体のうちの残りの筐体は、建物内において前記加速器本体が設置される加速器室内に設置され当該加速器室の壁面に沿って設置されていることを特徴とする加速器。
【発明の詳細な説明】
【技術分野】
【０００１】
本発明は、加速器の電源制御盤に関するものである。
【背景技術】
【０００２】
従来、このような分野の技術として、下記特許文献１に記載の設備が知られている。この設備は、建物内のサイクロトロン室に収容されるサイクロトロンを備えている。この種の設備においては、サイクロトロンの電源制御盤が設けられ、電源制御盤は多数の箱型のユニットを寄せ集めて構成される。電源制御盤は、多数の箱型のユニットの筐体が１つの筐体フレームに嵌め込まれ状態で、例えば、サイクロトロン室内の中央に設置される。
【先行技術文献】
【特許文献】
【０００３】
【特許文献１】特表２００６−５０４１０３号公報
【発明の概要】
【発明が解決しようとする課題】
【０００４】
しかしながら、電源制御盤を室内の中央に設置すると、電源制御盤の設置面積が大きくなってしまう。また、多数のユニットを寄せ集めた構成では、メンテナンスが煩雑である。この種の加速器を備えた設備においては、電源制御盤の設置面積を小さくすると共にメンテナンスを容易にすることが求められていた。
【０００５】
本発明は、設置面積を小さくすると共にメンテナンスを容易にする加速器の電源制御盤を提供することを目的とする。
【課題を解決するための手段】
【０００６】
本発明の加速器の電源制御盤は、加速器の電源制御盤であって、加速器に供給する高周波電力を増幅するためのＲＦアンプ回路と、当該ＲＦアンプ回路を収納する第１の筐体と、を有するＲＦアンプ盤と、ＲＦアンプに高周波電力を供給するためのＲＦ電源回路と、当該ＲＦ電源回路を収納する第２の筐体と、を有するＲＦ電源盤と、加速器の制御を行うための加速器制御回路と、当該加速器制御回路を収納する第３の筐体と、を有する加速器制御盤と、加速器のマグネットのコイルに電流を供給するためのマグネット電源回路と、当該マグネット電源回路を収納する第４の筐体と、を有するマグネット電源盤と、を備え、第１〜第４の筐体は、建物内において加速器が設置される加速器室内に設置され当該加速器室の壁面に沿って設置されていることを特徴とする。
【０００７】
この電源制御盤では、ＲＦアンプ回路、ＲＦ電源回路、加速器制御回路、及びマグネット電源回路を構成するコンポーネントが第１〜第４の筐体にそれぞれまとめて収納される。更に、第１〜第４の筐体が建物内で壁面に沿って設置されるので、電源制御盤全体の設置面積を小さくすることができる。また、ＲＦアンプ回路、ＲＦ電源回路、加速器制御回路、及びマグネット電源回路を構成するコンポーネントが機能ごとに第１〜第４の筐体にそれぞれまとめて収納されるので、メンテナンスも容易である。
【０００８】
また、ＲＦアンプ盤、ＲＦ電源盤、加速器制御盤、及びマグネット電源盤を相互に連結するケーブルは、第１〜第４の筐体の各々の上面側から引き出されていることとしてもよい。この構成によれば、ケーブル類の敷設スペースを、第１〜第４の筐体の設置スペースの他に余分に確保する必要がない。
【０００９】
本発明の加速器は、加速器本体に供給する高周波電力を増幅するためのＲＦアンプ回路と、当該ＲＦアンプ回路を収納する第１の筐体と、を有するＲＦアンプ盤と、ＲＦアンプに高周波電力を供給するためのＲＦ電源回路と、当該ＲＦ電源回路を収納する第２の筐体と、を有するＲＦ電源盤と、加速器本体の制御を行うための加速器制御回路と、当該加速器制御回路を収納する第３の筐体と、を有する加速器制御盤と、加速器本体のマグネットのコイルに電流を供給するためのマグネット電源回路と、当該マグネット電源回路を収納する第４の筐体と、を有するマグネット電源盤と、を備える電源制御盤と、加速器本体の放射線をシールドすると共に加速器本体に対して移動し開閉される移動開閉扉とを、備え、第１〜第４の筐体は、建物内において加速器本体が設置される加速器室内に設置され当該加速器室の壁面に沿って設置されており、移動開閉扉が開閉時に通過する通過領域は、加速器本体に対して、壁面に平行な方向に並んでいることを特徴とする。この構成によれば、移動開閉扉は、第１〜第４の筐体に干渉せずに移動することができる。
【００１０】
また、上記の壁面は、加速器が設置される室内の壁面であり、第１〜第４の筐体は、壁面から突出する厚みが薄いほど加速器に近い位置に設置されるように配置されていることとしてもよい。この構成によれば、第１〜第４の筐体と加速器との間のスペースを有効利用し易い。
【００１１】
本発明の加速器は、加速器本体に供給する高周波電力を増幅するためのＲＦアンプ回路と、当該ＲＦアンプ回路を収納する第１の筐体と、を有するＲＦアンプ盤と、ＲＦアンプに高周波電力を供給するためのＲＦ電源回路と、当該ＲＦ電源回路を収納する第２の筐体と、を有するＲＦ電源盤と、加速器本体の制御を行うための加速器制御回路と、当該加速器制御回路を収納する第３の筐体と、を有する加速器制御盤と、加速器本体のマグネットのコイルに電流を供給するためのマグネット電源回路と、当該マグネット電源回路を収納する第４の筐体と、を有するマグネット電源盤と、を備える電源制御盤と、加速器本体の放射線をシールドするための外壁と、を有し、外壁は、放射線をシールドすると共に移動して開閉される移動開閉扉を一部に含み、第１〜第４の筐体のうちの少なくとも１つの筐体は、外壁のうち移動開閉扉以外の何れかの外壁の壁面に密着して設置されており、第１〜第４の筐体のうちの残りの筐体は、建物内において加速器本体が設置される加速器室内に設置され当該加速器室の壁面に沿って設置されていることを特徴とする。
【発明の効果】
【００１２】
本発明によれば、設置面積を小さくすると共にメンテナンスを容易にする加速器の電源制御盤を提供することを目的とする。
【図面の簡単な説明】
【００１３】
【図１】本発明の実施形態に係る電源制御盤が設置される建物を示す平面図である。
【図２】図１の電源制御盤の正面図である。
【図３】電源制御盤の他の配置の例を示す平面図である。
【図４】電源制御盤の更に他の配置の例を示す平面図である。
【図５】図１における加速器の移動開閉扉の方式を変更した状態を示す平面図である。
【発明を実施するための形態】
【００１４】
以下、図面を参照しつつ本発明に係る電源制御盤の実施形態について詳細に説明する。
【００１５】
図１に示す建物１００のサイクロトロン室１０１内には、ポジトロン断層撮影(ＰＥＴ；Positron Emission Tomography)に用いられるサイクロトロン（加速器）１と、本実施形態に係るサイクロトロン１用の電源制御盤３とが設置されている。サイクロトロン室１０１と間仕切り壁１０３で仕切られた隣室１０５は、例えば、ホットラボ室として利用される。
【００１６】
平面視四角形をなすサイクロトロン１は、サイクロトロン本体（加速器本体）１ａからの放射線をシールドするための４つの外壁５ａ，５ｂ，５ｃ，５ｄを有している。外壁５ａ〜５ｄは、例えばコンクリートからなる。このうち、外壁５ｄは、サイクロトロン本体１ａのメンテナンス時等に開閉される移動開閉扉である。以下、外壁５ｄを、「移動開閉扉５ｄ」と称する場合がある。移動開閉扉５ｄは、矢印Ａ方向に平行移動することにより開閉される。サイクロトロン室１０１の床面上には、移動開閉扉５ｄを矢印Ａ方向に案内するためのガイドレール１０７が敷設されている。外壁５ａ〜５ｃは、サイクロトロン本体１ａに対し固定されている。サイクロトロン１は、外壁５ｂを間仕切り壁１０３に密着させて設置されている。
【００１７】
電源制御盤３は、ＲＦアンプ盤３１、ＲＦ電源盤３２、サイクロトロン制御盤３３、及びマグネット電源盤３４の４つの部分で構成されている。
【００１８】
ＲＦアンプ盤３１は、複数のコンポーネントと、当該複数のコンポーネントを一括して収納する１つの金属筐体３１ａと、を有している。ＲＦアンプ盤３１に含まれる上記複数のコンポーネントは、サイクロトロン１に供給する高周波電力を増幅するためのＲＦアンプ回路３１ｂを構成している。ＲＦアンプ回路３１ｂには、例えば真空管などが含まれている。なお、「コンポーネント」とは、例えば、各電子部品が搭載された回路基板で構成される電子部品の集合体を言う。以下、金属筐体３１ａを、「第１筐体３１ａ」と称する場合がある。
【００１９】
ＲＦ電源盤３２は、複数のコンポーネントと、当該複数のコンポーネントを一括して収納する１つの金属筐体３２ａと、を有している。ＲＦ電源盤３２に含まれる上記複数のコンポーネントは、ＲＦアンプ回路３１ｂに高周波電力を供給するためのＲＦ電源回路３２ｂを構成している。ＲＦ電源回路３２ｂには、例えば各種の電源装置などが含まれている。以下、金属筐体３２ａを、「第２筐体３２ａ」と称する場合がある。
【００２０】
サイクロトロン制御盤（加速器制御盤）３３は、複数のコンポーネントと、当該複数のコンポーネントを一括して収納する１つの金属筐体３３ａと、を有している。サイクロトロン制御盤３３に含まれる上記複数のコンポーネントは、サイクロトロン１の各部の制御を行うためのサイクロトロン制御回路（加速器制御回路）３３ｂを構成する。サイクロトロン制御回路３３ｂには、例えばＰＬＣ回路やインターフェース用の回路が含まれている。以下、金属筐体３３ａを、「第３筐体３３ａ」と称する場合がある。
【００２１】
マグネット電源盤３４は、複数のコンポーネントと、当該複数のコンポーネントを一括して収納する１つの金属筐体３４ａと、を有している。マグネット電源盤３４に含まれる上記複数のコンポーネントは、サイクロトロン１のマグネットのコイルに電流を供給するためのマグネット電源回路３４ｂを構成する。マグネット電源回路３４ｂには、例えば各種の電源装置などが含まれている。以下、金属筐体３４ａを、「第４筐体３４ａ」と称する場合がある。
【００２２】
ＲＦアンプ盤３１、ＲＦ電源盤３２、サイクロトロン制御盤３３、及びマグネット電源盤３４は、矢印Ａ方向（移動開閉扉５ｄの移動方向）に平行に延びる壁面１０１ａに沿って、矢印Ａ方向に配列されている。また、移動開閉扉５ｄが開閉時に通過する通過領域Ｂは、図中に一点鎖線で示される領域である。通過領域Ｂとサイクロトロン本体１ａとは、壁面１０１ａに平行な方向に並んでいる。このような配置によれば、移動開閉扉５ｄは、ＲＦアンプ盤３１、ＲＦ電源盤３２、サイクロトロン制御盤３３、及びマグネット電源盤３４に干渉せずに移動することができる。
【００２３】
第１筐体３１ａ、第２筐体３２ａ、第３筐体３３ａ、及び第４筐体３４ａは、すべて、背面側をサイクロトロン室１０１の壁面１０１ａに密着するように配置されている。第１筐体３１ａ、第２筐体３２ａ、第３筐体３３ａ、及び第４筐体３４ａは、それぞれ、例えば壁面１０１ａと床面とに固定される。このような配置では、ＲＦアンプ盤３１、ＲＦ電源盤３２、サイクロトロン制御盤３３、及びマグネット電源盤３４を相互に連結するケーブル類（例えば、データケーブルや電源ケーブル）は、背面側（壁面１０１ａ側）に引き出すことができない。そこで、図２に示すように、この種のケーブル類４１は、それぞれ、第１〜第４筐体３１ａ〜３４ａの各々の上面側から引き出されている。この構成によれば、ケーブル類４１の敷設スペースを、第１〜第４筐体３１ａ〜３４ａの設置スペースの他に余分に確保する必要がない。
【００２４】
ＲＦアンプ回路３１ｂ、ＲＦ電源回路３２ｂ、サイクロトロン制御回路３３ｂ、及びマグネット電源回路３４ｂを構成するコンポーネントは、それぞれ、第１〜第４筐体３１ａ〜３４ａの正面側（壁面１０１ａとは反対側）からアクセス可能に設置されている。よって、ＲＦアンプ盤３１、ＲＦ電源盤３２、サイクロトロン制御盤３３、及びマグネット電源盤３４のメンテナンスの際には、正面側のパネルを開け正面側からメンテナンスを行う。すなわちこの場合、第１〜第４筐体３１ａ〜３４ａの正面側のスペースが、メンテナンス用スペース１０９となる。
【００２５】
第１〜第４筐体３１ａ〜３４ａは、壁面１０１ａから突出する厚みが薄いほどサイクロトロン１に近い位置に設置されるように配置される。具体的には、第３筐体３３ａ及び第４筐体３４ａは、壁面１０１ａから突出する厚みが比較的薄いので、サイクロトロン１に近い位置に配置される。これに対し、第１筐体３１ａ及び第２筐体３２ａは、壁面１０１ａから突出する厚みが比較的厚いので、サイクロトロン１から離れた位置に配置される。このような配置によれば、第１〜第４筐体３１ａ〜３４ａとサイクロトロン１との間のスペースをメンテナンス用スペース１０９として有効利用し易く、ＲＦアンプ盤３１、ＲＦ電源盤３２、サイクロトロン制御盤３３、及びマグネット電源盤３４の各部のメンテナンスを容易に行うことができる。
【００２６】
なお、サイクロトロン１の固定側の外壁５ａ及び５ｃには、周辺機器を固定するための取付座が設けられてもよい。そして、図３及び図４に例示するように、ＲＦアンプ盤３１、ＲＦ電源盤３２、サイクロトロン制御盤３３、及びマグネット電源盤３４のうちの一部又は全部が、それぞれ、上記取付座を介して外壁５ａ又は５ｃの壁面に密着して設置されてもよい。このような配置の一例として、図３は、固定側の外壁５ｃにサイクロトロン制御盤３３が取り付けられた例を示し、図４は、固定側の外壁５ａにマグネット電源盤３４が取り付けられ、固定側の外壁５ｃにサイクロトロン制御盤３３が取り付けられた例を示している。
【００２７】
以上説明した電源制御盤３では、ＲＦアンプ回路３１ｂ、ＲＦ電源回路３２ｂ、サイクロトロン制御回路３３ｂ、及びマグネット電源回路３４ｂを構成するコンポーネントが、それぞれ１つの筐体（第１〜第４筐体３１ａ〜３４ａ）にまとめて収納される。更に、第１〜第４筐体３１ａ〜３４ａが壁面１０１ａに沿って設置されるので、電源制御盤３全体の設置面積を小さくすることができる。また、ＲＦアンプ回路３１ｂ、ＲＦ電源回路３２ｂ、サイクロトロン制御回路３３ｂ、及びマグネット電源回路３４ｂを構成するコンポーネントが機能ごとにそれぞれ１つの筐体（第１〜第４筐体３１ａ〜３４ａ）にまとめて収納されるので、メンテナンスも容易である。また、電源制御盤３によれば、多数の箱型のユニットを寄せ集めた構成の従来の電源制御盤に比べて、筐体の数を減らすことができるので、コストダウンを図ることができる。
【００２８】
また、電源制御盤３の設置面積削減により、ＰＥＴ用サイクロトロンのサイクロトロン室１０１を従来よりも小さくすることが可能になるので、建物１００の建設コストを削減することができる。
【００２９】
以上、本発明の一実施形態について説明したが、本発明は、上記実施形態に限られるものではなく、各請求項に記載した要旨を変更しない範囲で変形したものであってもよい。
【００３０】
例えば、図５に示すように、サイクロトロン１の移動開閉扉５ｄに代えて、観音開きタイプの移動開閉扉１５ｄを採用してもよい。この場合、移動開閉扉１５ｄが開閉時に通過する通過領域は、図中に一点鎖線で示される領域Ｃであり、通過領域Ｃとサイクロトロン本体１ａとは、壁面１０１ａに平行な方向に並んでいる。
【符号の説明】
【００３１】
１…サイクロトロン（加速器）、１ａ…サイクロトロン本体（加速器本体）、３…電源制御盤、５ａ〜５ｄ…外壁、５ｄ…移動開閉扉、３１…ＲＦアンプ盤、３１ａ…第１筐体、３１ｂ…ＲＦアンプ回路、３２…ＲＦ電源盤、３２ａ…第２筐体、３２ｂ…ＲＦ電源回路、３３…サイクロトロン制御盤（加速器制御盤）、３３ａ…第３筐体、３３ｂ…サイクロトロン制御回路（加速器制御回路）、３４…マグネット電源盤、３４ａ…第４筐体、３４ｂ…マグネット電源回路、１００…建物、１０１…サイクロトロン室、１０１ａ…壁面、Ａ…移動開閉扉の移動方向、Ｂ，Ｃ…通過領域。
【図１】
0005792100.tif 000002
【図２】
0005792100.tif 000003
【図３】
0005792100.tif 000004
【図４】
0005792100.tif 000005
【図５】
0005792100.tif 000006